(57)【要約】      （修正有）【課題】必要に応じた色の付箋紙を取ることができ、折り畳むことができるため、携帯し易い折り畳み式の付箋紙パッドを提供する。【解決手段】カバー１０と、表面と背而とを連続して交互に折り畳む複数のべース１１とを含んでなり、べースは表面にいずれも同じ数の複数の付箋紙のパッド１２が設けられ、隣接する２枚のベースは背面の対向する適宜な位置にベースを折り畳んだ場合にべースが開かないようにする位置決めする面ファスナー１３を設ける。【選択図】図１
0003120485.tif 000002
【実用新案登録請求の範囲】
【請求項１】
カバーと、
表面と背面とを連続して交互に折り畳む複数のベースとを含んでなり、該ベースは表面にいずれも同じ数の複数の付箋紙のパッドが設けられ、隣接する2枚のべースは背面の対向する適宜な位置にべースを折り畳んだ場合にベースが開かないようにする位置決めする面ファスナーを設けることを特徴とする付箋紙パッド。
【請求項２】
前記付箋紙のセットは、利用者が分類に使用でき、識別し易いように異なる色から形成するか、もしくは表面に異なる色で簡単な図案などを印刷することを特徴とする請求項1に記載の付箋紙パッド。
【請求項３】
前記べースは、それぞれ長手方向の一端縁部に開口を設けてなり、該べース表面に固定して設けられている付箋紙のセットの一端がいずれも開口から突出して延伸しているため、付箋紙が剥がし易い構造を特徴とする請求項1に記載の付箋紙パッド。
【請求項４】
前記カバーと、ベースは透明な材質からなることを特徴とする請求項1に記載の付箋紙パッド。
【考案の詳細な説明】
【技術分野】
【０００１】
この考案は、付箋紙パッドに関し、特に折り畳み縮小することができる付箋紙パッドに関する。
【背景技術】
【０００２】
付箋紙は通常、特定のサイズの付箋紙を積み重ねた付箋紙のセットとして販売され、頻繁に利用されている。
該付箋紙のセットは一端に粘着性の接着剤を塗布した複数の付箋紙を積み重ねて一体に形成する。よって、利用者は付箋紙のセットから付箋紙を1枚剥がし、接着剤の塗布された部分を書類ファイルの端縁部に貼り付けて書類を分類、保存して管理することができる。
【０００３】
付箋紙パッドの多くは、上方に付箋紙のセットが設けられているだけのため、付箋紙が使い終わると他に使い道がなく捨てられる。かしながら、付箋紙のセットは付箋紙の枚数が多く、且つ付箋紙の多くが付箋紙のパッドのデザインに制限される。よって、付箋紙のセット及び付箋紙パッドの使用期限はいずれも短く、資源を無駄にすることになる。また、付箋紙のセットの付箋紙は全て同じ色で形成され、表面に記号や文宇が印刷されている以外、分類や識別が難しく、実用性に欠ける。さらに、従来の付箋紙パッドの構造や外観は長期に渡り変化がなく、創造性に欠けているため、利益低下や競争力の低下を招く。
【考案の開示】
【考案が解決しようとする課題】
【０００４】
この考案は、必要に応じた色の付箋紙を取ることができ、折り畳むことができるため、携帯し易い折り畳み式の付箋紙パッドを提供することを課題とする。
【課題を解決するための手段】
【０００５】
そこで、本考案の考案者は従来の技術に見られる欠点に鑑みて鋭意研究を重ねた結果、カバーと、表面と背面とを連続して交互に折り畳む複数のベースとを含んでなり、該べースは表面にいずれも同じ数の複数の付箋紙のパッドが設けられ、隣接する2枚のべースは背面の対向する適宜な位置にベースを折り畳んだ場合にベースが開かないようにする位置決めするマジックテープ（登録商標）などの面ファスナーを設ける構造によって課題を解決できる点に着眼し、かかる知見に基づいて本考案を完成させた。
【０００６】
以下、この考案について具体的に説明する。
請求項1に記載する付箋紙パッドは、カバーと、表面と背面とを連続して交互に折り畳む複数のべースとを含んでなり、該ベースは表面にいずれも同じ数の複数の付箋紙のパッドが設けられ、隣接する2枚のベースは背面の対向する適宜な位置にべースを折り畳んだ場合にべースが開かないようにする位置決めする面ファスナーを設ける。
【０００７】
請求項2に記載の付箋紙パッドは、請求項1における付箋紙のセットが、利用者が分類に使用でき、識別し易いように異なる色から形成するか、もしくは表面に異なる色で簡単な図案などを印刷する。
【０００８】
請求項3に記載の付箋紙パッドは、請求項1におけるべースが、それぞれ長手方向のー端縁部に開口を設けてなり、該べース表面に固定して設けられている付箋紙のセットの一端がいずれも開口から突出して延伸しているため、付箋紙が剥がし易い。
【０００９】
請求項4に記載の付箋紙パッドは、請求項1におけるカバーと、ベースが透明な材質からなる。
【考案の効果】
【００１０】
この考案の付箋紙パッドは、べースの一端に開口が形成され、べース上に設けられた付箋紙のセットの一端が開ロから突出して設けられているため付箋紙を剥がし易い効果を有する。
【００１１】
また、この考案の付箋紙パッドは、ベース上に設ける付箋紙のセットが異なる色もしくは異なる色の図案などを印刷して形成するため、利用者が書類を分類、識別するために便利な効果を有する。
【考案を実施するための最良の形態】
【００１２】
この考案は、必要に応じた色の付箋紙を取ることができ、折り畳むことができるため、携帯し易い折り畳み式の付箋紙パッドを提供するものであって、カバーと、表面と背面とを連続して交互に折り畳む複数のベースとを含んでなり、該ベースは表面にいずれも同じ数の複数の付箋紙のパッドが設けられ、隣接する2枚のベースは背面の対向する適宜な位置にべースを折り畳んだ場合にべースが開かないようにする位置決めする面ファスナーを設ける。
かかる付箋紙パッドの構造と特徴を詳述するために具体的な実施例を挙げ、図示を参照にして以下に説明する。
【実施例】
【００１３】
図1に、この考案の付箋紙パッドを開示する。図面によれば、この考案は、硬質、且つ透明なカバー10と、表面と裏面とが交互になるように折り畳んだ複数のべース11とを含んでなる。図2Aに、折り畳み式の付箋紙バッドの正面図を開示する。図面によればベース11は、同一面上に同じ枚数ずつ重ねられた複数の付箋紙の
セット12が均一に設けられている,また、図2Bに、折り畳み式の付箋紙パッドの背而図を開示する。図面によれば、該ベース11は、隣接2枚のベース11の対向する適宜な位置に複数のベース11を折り畳む時にベース11が開かないように位置決めする面ファスナー13が設けられている。また、それぞれのベース11は、
長手方向一端縁部に開口14が形成され、且つベース11上に固定して設けられているすべての付箋紙のセット12がいずれも開口14の外側に延伸して突出しているため、付箋紙を剥がし易い。
【００１４】
上述したそれぞれのベース11は表面に付箋紙のセット12を固定して設けてなる。それぞれの付箋紙のセット12は、いずれも複数の付箋紙の一端に接着剤が塗布された接着層を重ねて付箋紙を折り畳んで形成し、且つそれぞれの付箋紙のセット12は異なる色から形成する。カバー10とベース11は、いずれも透明な材質から
形成しているため、折りたたみ式の付箋紙パッドの美観を高め、付箋紙座1の装飾および視覚効果を高める、もしくは利用者が書類などに添付する場合に分類、識別し易いように表面に異なる色の簡単な模様や文字を印刷することにより、実用性を高め、多様な使用方法を提供することができる。
【００１５】
図3に、前述の折り畳み式の付箋紙パッドを開示する、実際の使用では、カバー10を開き、利用者の必要、もしくは好みに応じて付箋紙のセット12から付箋紙を剥がして使用する。使用する度に、付箋紙のセット12の付箋紙がなくなるまで前述の動作を繰り返す。
【００１６】
折り畳み式の付箋紙パッドは、複数のベース11を含んでなり、それぞれのベース11上には複数の付箋紙のセット12を固定して設けることにより、付箋紙パッド全体の使用期間を延長することができ、経済的である。
使用する場合、利用者が必要に応じた好みの色の付箋紙を剥がして使用し、使用しない、もしくは使用後にはべース11を表面と裏を交互に重ねれば、携帯に便利で、収納もし易い。
【００１７】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００１８】
【図１】この考案の付箋紙パッドを示した説明図である。
【図２Ａ】図1に開示する付箋紙パッドを示した正面図である。
【図２Ｂ】図1に開示する付箋紙パッドを示した背面図である。
【図３】図1に開示する付箋紙パッドの使用状態を示した説明図である。
【符号の説明】
【００１９】
10  カバー
11  べース
12  付箋紙のセット
13  面ファスナー
14  開口
【図１】
0003120485.tif 000003
【図２Ａ】
0003120485.tif 000004
【図２Ｂ】
0003120485.tif 000005
【図３】
0003120485.tif 000006